(57)【要約】【課題】薬剤量が多くとも設置スペースが小さいと共に、雨水等が薬剤に触れないようにしたファン式薬剤装置とする。【解決手段】ファン装置１０と、その上面部に取付けた本体２０を備え、この本体２０は、ファン装置１０の周面部から張り出した張出部下面に空気入口２１、中央下面に空気出口２２、この空気入口２１と空気出口２２を連通する空気流通路２３を有し、その空気流通路２３に薬剤３０を設け、ファン装置１０を駆動することで薬剤３０の薬効成分を含む空気をファン装置１０の周面部から大気に放出するようしたファン式薬剤装置。【選択図】      図２
2004255049.tif 000002
【特許請求の範囲】
【請求項１】
上面部から空気を吸い込み周面部から吐出するファン装置１０と、このファン装置１０の上面部に取付けた本体２０と、この本体２０内に設けた薬剤３０を備え
前記本体２０の周面部がファン装置１０の周面部よりも張り出し、この張出部に空気入口２１を有すると共に、中間部に空気出口２２を有し、その空気入口２１と空気出口２２を連通する空気流通路２３を有する形状で、
この空気流通路２３に前記薬剤３０が設けてあることを特徴とするファン式薬剤拡散装置。
【請求項２】
本体２０の張出部下面に空気入口２１を有する請求項１記載のファン式薬剤拡散装置。
【請求項３】
ファン装置１０はケース１４内に送風機１５を設けた形状で、このケース１４の上面板１１に吸込み口１７を有すると共に、周面板１３に吐出口１９を有し、
この上面板１１に本体２０が取付けられ、この本体２０の空気出口２２と上面板１１の吸込み口１７が連通している請求項１又は２記載のファン式薬剤拡散装置。
【請求項４】
本体２０は上面板２４と周面板２５を備えた箱状で、その周面板２５がファン装置１０の上面板１１に嵌合して取付けられ、かつ前記上面板１１と周面板２５の内周面２５ｃとの間に隙間が形成され、その隙間が空気入口２１である請求項３記載のファン式薬剤拡散装置。
【発明の詳細な説明】
【０００１】
【発明の属する技術分野】
本発明は、主として、各種店舗・工場の入口付近やビアガーデン、オープンテラスレストラン、各種屋外イベントなど屋外・野外で使用するファン式薬剤拡散装置に関する。
【０００２】
【従来の技術】
特許文献１にファン式薬剤拡散装置が開示されている。
具体的には、外部容器内に、粒状香料を封入した中空筒形状の容器とファンを設け、そのファンを駆動することで外部容器の吸込口から空気を吸い込み、その空気を空気導入口、容器内の粒状香料を通して外部容器の吹出し口から放出することで、香料を拡散する。
【０００３】
【特許文献１】
実開平２−１１６４５２号公報
【０００４】
【発明が解決しようとする課題】
ファン式薬剤拡散装置を屋外・野外で使用する際、その使用環境は、使用空間が広く、使用空間が開放状況で、長期間継続使用することになる。
このために、薬剤量を家庭で使用する際に比べて多くする必要がある。
しかし、前述した従来のファン式薬剤拡散装置は外部容器内に粒状香料を入れた容器とファンが横方向に並設してあるので、その容器の横方向寸法とファンの横方向寸法の和が装置全体の横方向寸法で大きくなる。このために、前述のように薬剤量を多くすると容器の横方向寸法が大きくなり、装置全体の横方向寸法よりも大きくなる。
したがって、薬剤量が多いファン式薬剤拡散装置の設置スペースは著しく大きい。
【０００５】
前述した従来のファン式薬剤拡散装置は、外部容器の一部分にスリットを形成して吸込み口、吹出し口としているので、屋外・野外で使用すると雨水等が吸込み口、吹出し口から内部に浸入することがある。
前記吹出し口は容器と対向しているので、その吹出し口から浸入した雨水等は容器内の粒状香料に触れ、前記吸込み口から浸入した雨水等はファンで粒状香料に吹きつけられるので、香料の効能が低下したりする恐れがある。
【０００６】
本発明は、前述の課題に鑑みなされたものであり、その目的は、薬剤量が多くとも設置スペースを小さくでき、屋外・野外で使用しても雨水等が薬剤に触れることがないファン式薬剤拡散装置を提供することである。
【０００７】
【課題を解決するための手段】
第１の発明は、上面部から空気を吸い込み周面部から吐出するファン装置１０と、このファン装置１０の上面部に取付けた本体２０と、この本体２０内に設けた薬剤３０を備え
前記本体２０の周面部がファン装置１０の周面部よりも張り出し、この張出部に空気入口２１を有すると共に、中間部に空気出口２２を有し、その空気入口２１と空気出口２２を連通する空気流通路２３を有する形状で、
この空気流通路２３に前記薬剤３０が設けてあることを特徴とするファン式薬剤拡散装置である。
【０００８】
第２の発明は、第１の発明において本体２０の張出部下面に空気入口２１を有するファン式薬剤拡散装置である。
【０００９】
第３の発明は、第１又は第２の発明においてファン装置１０はケース１４内に送風機１５を設けた形状で、このケース１４の上面板１１に吸込み口１７を有すると共に、周面板１３に吐出口１９を有し、
この上面板１１に本体２０が取付けられ、この本体２０の空気出口２２と上面板１１の吸込み口１７が連通しているファン式薬剤拡散装置である。
【００１０】
第４の発明は、第３の発明において本体２０は上面板２４と周面板２５を備えた箱状で、その周面板２５がファン装置１０の上面板１１に嵌合して取付けられ、かつ前記上面板１１と周面板２５の内周面２５ｂとの間に隙間が形成され、その隙間が空気入口２１であるファン式薬剤拡散装置である。
【００１１】
【作  用】
第１の発明によれば、ファン装置１０を駆動することで空気入口２１、空気流通路２３、空気出口２２を通って空気が流通し、その空気流通路２３に設けた薬剤３０の薬効成分を含む空気がファン装置１０の周面部から放出される。
したがって、薬剤３０の薬効成分を大気に拡散することができる。
また、ファン装置１０の上部に、薬剤３０を設けた本体２０が取付けてあるので、ファン装置１０の横方向寸法を加えることなしに本体２０の横方向寸法に見合う大きさのスペースに設置できる。
したがって、薬剤量が多くとも全体の横方向寸法が小さく、設置スペースを小さくできる。
【００１２】
また、ファン装置１０の周面部から薬剤３０の薬効成分を含む空気が放出されると共に、その周面部よりも本体２０が張り出しているので、その空気の放出部分から雨水等がファン装置１０の内部に浸入し難い。
しかも、仮に空気の放出部分から雨水等がファン装置１０の内部に浸入しても、このファン装置１０の上部に薬剤３０が設けてあるので、その浸入した雨水等が薬剤３０に触れることがない。
また、本体２０のファン装置１０の周面部から張り出した部分に空気入口２１を有するので、その空気入口２１から内部に雨水等が浸入し難い。
これらが相俟って、屋外・野外で使用しても雨水等が薬剤に触れることがない。
【００１３】
第２の発明によれば、本体２０の張出部下面に空気入口２１を有するから、その空気入口２１から雨水等が内部に浸入することがない。
【００１４】
第３の発明によれば、送風機１５を駆動することで、空気入口２１、空気流通路２３、空気出口２２、吸込み口１７、吐出口１９と空気がスムーズに流れるので、薬剤３０の薬効成分を効率良く空気とともに大気に放出できる。
【００１５】
第４の発明によれば、ケース１４の上面板１１に本体２０の周面板２５を取付けることで空気入口２１を形成することができる。
【００１６】
【発明の実施の形態】
図１と図２に示すように、ファン装置１０と、その上面部に取付けた、好ましくは着脱自在に取付けた本体２０と、この本体２０内に設けた薬剤３０でファン式薬剤拡散装置を構成している。
前記ファン装置１０は、上面部から空気を吸い込み、周面部から吐出する。
前記本体２０はファン装置１０よりも横方向寸法が大きく、本体２０の周面部はファン装置１０の周面部よりも張り出している。
前記本体２０は張出部に空気入口２１を有し、中間部に空気出口２２を有すると共に、その空気入口２１と空気出口２２を連通した空気流通路２３を有し、その空気流通路２３に薬剤３０が設けてある。
【００１７】
よって、前記ファン装置１０を駆動すると空気入口２１、空気流通路２３、空気出口２２、ファン装置１０の上面部、周面部に空気が流れるので、薬剤３０の薬剤成分を含む空気がファン装置１０の周面部から大気に放出される。
【００１８】
次に、各部材の具体形状の一例を説明するが、これに限ることはない。
前記ファン装置１０は、上面板１１と下面板１２と周面板１３で箱状のケース１４内に送風機１５、例えばファン１５ａ、ファンケーシング１５ｂ、モータ１５ｃを設け、その上面板１１にファンケーシング１５ｂの吸込部１６と連通した吸込み口１７が形成されていると共に、周面板１３にファンケーシング１５ｂの吐出部１８に連通した吐出口１９が形成してあり、送風機１５を駆動すると吸込み口１７から空気を吸い込み、吐出口１９から吐出する。
これによって、ファン装置１０は上面部（上面板１１）から空気を吸い込み周面部（周面板１３）から吐出する。
前記ケース１４の下部には電池収納室１４ａが形成され、その電池収納室１４ａに電池１が収納してあり、この電池１によってモータ１５ｃが駆動される。
なお、電池１を用いずに商用電源でモータ１５ｃを駆動するようにしても良い。
また、この実施の形態ではシロッコファンを用いたシロッコファンタイプの送風機であるが、プロペラファンタイプの送風機でも良い。
また、ファンケーシング１５ｂの一部を上面板１１で兼用しても良い。
【００１９】
前記上面板１１は周面板１３よりも張り出している。例えば図３に示すように、周面板１３は矩形状で、上面板１１は円板形状であって、周面板１３よりも張り出している。
前記上面板１１と周面板１３は着脱自在に連結される。例えば上面板１１に穴１１ａを形成し、周面板１３の上面に突起１３ａを設け、この突起１３ａを穴１１ａに嵌合することで上面板１１と周面板１３が着脱自在に連結される。
前記上面板１１の吸込み口１７の周縁に突起、例えば周縁に沿ってリング状の突起１１ｂが設けてある。
【００２０】
前記本体２０は、上面板２４と周面板２５で下面が開口した箱状で、その周面板２５の下端部が上面板１１の外周面に嵌合して着脱自在に取付けられる。
前記周面板２５の一部分は切欠きされ、この切欠部２５ａはカバー片２６で覆われて下面のみが開口して前記空気入口２１を形成している。
前記カバー片２６は上面板２４と連続した上片２６ａと、この上片２６ａと連続した縦片２６ｂと、この上片２６ａ、縦片２６ｂ、周面板２５と連続した一対の側片２６ｃでほぼ下向きコ字形状である。
つまり、この実施の形態では本体２０の張出部下面に空気入口２１が形成してある。
【００２１】
前記薬剤３０は薬剤容器３１内に収納され、その薬剤容器３１が本体２０内に着脱自在に取付けられる。
前記薬剤容器３１は上面板３２と外側周面板３３と内側周面板３４とリング状の下面板３５で下面中央が開口し環状室３６を有した中空のリング形状で、その環状室３６に薬剤３０が充填してある。
前記内側周面板３４は下面板３５よりも下方に突出し、前記リング状の突起１１ｂの内面に嵌合すると共に、下面板３５が突起１１ｂの上面に接するようにしてある。
前記内側周面板３４、外側周面板３３は通気性を有する。例えば、複数の孔３４ａ，３３ａを有する。
【００２２】
このようであるから、本体２０内に薬剤容器３１を設け、本体２０とファン装置１０を前述のように連結することで、薬剤容器３１がファン装置１０のケース１４の上面板１１に位置決めして支持される。
また、本体２０をファン装置１０から取り外すことで、その本体２０内から薬剤容器３１を取り出しできる。
【００２３】
前記薬剤３０は揮散性の薬剤であり、殺虫、忌避、成長制御などの害虫防除剤、消臭効果、芳香効果、アロマテラピー効果、アロマコロジー効果などに用いられる各種薬剤などが挙げられる。
これらの薬剤３０は薬剤保持体に含浸、付着などで保持して用いることが好ましい。
【００２４】
前記本体２０の空気入口２１は張出部下面と側面に形成しても良い。
例えば、図４に示すように前記カバー片２６を上片２６ａと縦片２６ｂのみとする。
【００２５】
前記本体２０の空気入口２１は張出部側面に形成しても良い。
例えば、図５に示すように前記カバー片２６を上片２６ａと縦片２６ｂと下片２６ｄでほぼコ字形状とする。
【００２６】
前記本体２０の空気入口２１はケース１４の上面板１１と本体２０の周面板２５との間に形成しても良い。
例えば、図６〜図１０に示すように、本体２０を円形の上面板２４と、その上面板２４の周縁と連続した円形の周面板２５で下面が開口した円筒の箱状とする。
ケース１４の上面板１１を前記本体２０の周面板２５に嵌まり込むと共に、非円形とする。例えば図８に示すように、径方向に対向した一対の円弧面４０と径方向に対した一対の直線面４１を有する非円形とし、その円弧面４０に突片４２を設ける。
前記本体２０の周面板２５の下端面２５ｂに図９、図１０に示すように前記突片４２が嵌まりこむ切欠凹部４３を形成すると共に、この切欠凹部４３の底面４３ａと連続した溝４４を周面板２５の内周面２５ｃに沿って形成する。
【００２７】
そして、突片４２を切欠凹部４３に嵌め込み、ファン装置１０と本体２０を相対的に回転して突片４２を底面４３ａに沿って溝４４内に嵌め込むことで上面板１１と周面板２５を連結する。
これによって、図９に仮想線で示すように、上面板１１の直線面４１と周面板２５の内周面２５ｃとの間に隙間が生じ、その隙間が空気入口２１を形成する。
このようにすることで、ファン装置１０と本体２０を簡単に連結できる。
【００２８】
【発明の効果】
請求項１に係る発明によれば、ファン装置１０を駆動することで空気入口２１、空気流通路２３、空気出口２２を通って空気が流通し、その空気流通路２３に設けた薬剤３０の薬効成分を含む空気がファン装置１０の周面部から放出される。
したがって、薬剤３０の薬効成分を大気に拡散することができる。
また、ファン装置１０の上部に、薬剤３０を設けた本体２０が取付けてあるので、ファン装置１０の横方向寸法を加えることなしに本体２０の横方向寸法に見合う大きさのスペースに設置できる。
したがって、薬剤量が多くとも全体の横方向寸法が小さく、設置スペースを小さくできる。
【００２９】
また、ファン装置１０の周面部から薬剤３０の薬効成分を含む空気が放出されると共に、その周面部よりも本体２０が張り出しているので、その空気の放出部分から雨水等がファン装置１０の内部に浸入し難い。
しかも、仮に空気の放出部分から雨水等がファン装置１０の内部に浸入しても、このファン装置１０の上部に薬剤３０が設けてあるので、その浸入した雨水等が薬剤３０に触れることがない。
また、本体２０のファン装置１０の周面部から張り出した部分に空気入口２１を有するので、その空気入口２１から内部に雨水等が浸入し難い。
これらが相俟って、屋外・野外で使用しても雨水等が薬剤に触れることがない。
【００３０】
請求項２に係る発明によれば、本体２０の張出部下面に空気入口２１を有するから、その空気入口２１から雨水等が内部に浸入することがない。
【００３１】
請求項３に係る発明によれば、送風機１５を駆動することで、空気入口２１、空気流通路２３、空気出口２２、吸込み口１７、吐出口１９と空気がスムーズに流れるので、薬剤３０の薬効成分を効率良く空気とともに大気に放出できる。
【００３２】
請求項４に係る発明によれば、ケース１４の上面板１１に本体２０の周面板２５を取付けることで空気入口２１を形成することができる。
【図面の簡単な説明】
【図１】本発明の第１の実施の形態を示す斜視図である。
【図２】本発明の第１の実施の形態を示す縦断面図である。
【図３】ファン装置の斜視図である。
【図４】本発明の第２の実施の形態を示す斜視図である。
【図５】本発明の第３の実施の形態を示す斜視図である。
【図６】本発明の第４の実施の形態を示す斜視図である。
【図７】本発明の第４の実施の形態を示す縦断面図である。
【図８】ファン装置の斜視図である。
【図９】本体の底面図である。
【図１０】本体の切欠凹部を形成した部分の斜視図である。
【符号の説明】
１０…ファン装置、１１…上面板、１２…下面板、１３…周面板、１４…ケース、１５…送風機、１５ａ…ファン、１５ｂ…ファンケーシング、１５ｃ…モータ、１７…吸込み口、１９…吐出口、２０…本体、２１…空気入口、２２…空気出口、２３…空気流通路、２４…上面板、２５…周面板、２５ｃ…内周面、４２…突片、４３…切欠凹部、４４…溝。
【図１】
2004255049.tif 000003
【図２】
2004255049.tif 000004
【図３】
2004255049.tif 000005
【図４】
2004255049.tif 000006
【図５】
2004255049.tif 000007
【図６】
2004255049.tif 000008
【図７】
2004255049.tif 000009
【図８】
2004255049.tif 000010
【図９】
2004255049.tif 000011
【図１０】
2004255049.tif 000012